(57)【要約】【課題】簡単な構成で、オーディオ信号の入力中に電源が自動的にオフにならないようにする。【解決手段】ＣＰＵ５は、自動電源オフモードが設定されると、オフタイマの計時をスタートし、演奏操作子１または設定操作子２が操作されると、その度にオフタイマをリセットして計時を再スタートする。ＣＰＵ５は、オフ条件が成立し、且つ通信確立済みの機器が存在する場合は、ノイズゲート２１の開閉状態を確認する。そしてＣＰＵ５は、ノイズゲート２１が閉となっている場合は、オーディオ信号が入力中でないと判断して電子楽器の電源をオフにするが、ノイズゲート２１が開となっている場合は、電源をオフにしない。【選択図】図３
2018146832.tif 000002
【特許請求の範囲】
【請求項１】
自動電源オフモード時に電源をオフにするためのオフ条件が成立するか否かを判定する条件判定手段と、
入力されるオーディオ信号のレベルが閾値を超えると開となり前記閾値以下の状態が第１の所定時間継続すると閉となるノイズゲートと、
前記自動電源オフモード時に前記条件判定手段により前記オフ条件が成立すると判定されたことを条件に電源をオフにする制御手段と、を有し、
前記制御手段は、前記オフ条件が成立しても、前記ノイズゲートが開状態である場合は、電源をオフにしないことを特徴とする電子楽器。
【請求項２】
前記オーディオ信号は、近距離無線通信により受信することにより入力され、
前記制御手段は、前記自動電源オフモード時に前記オフ条件が成立した場合において、前記近距離無線通信の接続が確立している外部機器が存在しないときは、前記ノイズゲートの開閉状態にかかわらず電源をオフにすることを特徴とする請求項１に記載の電子楽器。
【請求項３】
前記オフ条件は、前記電子楽器が有する操作子のいずれも操作されない状態が第２の所定時間継続することで成立することを特徴とする請求項１または２に記載の電子楽器。
【請求項４】
前記オフ条件は、前記ノイズゲートが開状態となってから第３の所定時間が経過することで成立することを特徴とする請求項１または２に記載の電子楽器。
【発明の詳細な説明】
【技術分野】
【０００１】
本発明は、オーディオ信号を入力可能な電子楽器に関する。
【背景技術】
【０００２】
従来、外部機器から入力されるオーディオ信号を音響に変換できる電子楽器が知られている。例えば、下記特許文献１の電子鍵盤楽器は、オーディオ信号をＤＳＰに取り込み、効果を付与して音響を出力することで、電子楽器を楽器としてだけでなくオーディオ装置として利用することができる。入力されるオーディオ信号はノイズを含むため、特許文献１の楽器は、ＤＳＰの入力側にノイズゲートを配置している。ノイズゲートは所定のスレッショルドレベルによって開閉される。このような楽器を用いて、外部から入力されるオーディオ信号を音響に変換する場合、操作子を長らく触らないことが想定される。
【先行技術文献】
【特許文献】
【０００３】
【特許文献１】特開２０１６−５０９７７号公報
【特許文献２】特開２００３−１４０６５２号公報
【特許文献３】特開２００７−８６２１４号公報
【発明の概要】
【発明が解決しようとする課題】
【０００４】
しかしながら、電子楽器には、操作子に対する操作が一定期間無い等の条件で装置電源を自動的にオフにする自動電源オフモードを有するものがある。主として楽器をオーディオとして用いる態様で、且つ自動電源オフモードを設定し、操作子を操作することなくオーディオ信号に基づく音を聞き続けていると、オーディオ信号が入力されているのに電源がオフになってしまうことが想定される。
【０００５】
一方、無線信号の入力を検出して電源を制御する技術も知られている。これを応用し、オーディオ信号の入力の有無を直接に検出する機構を設けて、信号入力がある間は電源をオフにしないという制御が考えられる。しかしそのための専用の機構を設けると構成が複雑化する。
【０００６】
本発明は上記従来技術の問題を解決するためになされたものであり、その目的は、簡単な構成で、オーディオ信号の入力中に電源が自動的にオフにならないようにすることができる電子楽器を提供することにある。
【課題を解決するための手段】
【０００７】
上記目的を達成するために本発明の請求項１の電子楽器は、自動電源オフモード時に電源をオフにするためのオフ条件が成立するか否かを判定する条件判定手段（５）と、入力されるオーディオ信号のレベルが閾値を超えると開となり前記閾値以下の状態が第１の所定時間継続すると閉となるノイズゲート（２１）と、前記自動電源オフモード時に前記条件判定手段により前記オフ条件が成立すると判定されたことを条件に電源をオフにする制御手段（５）と、を有し、前記制御手段は、前記オフ条件が成立しても、前記ノイズゲートが開状態である場合は、電源をオフにしないことを特徴とする。
【０００８】
なお、上記括弧内の符号は例示である。
【発明の効果】
【０００９】
本発明の請求項１によれば、簡単な構成で、オーディオ信号の入力中に電源が自動的にオフにならないようにすることができる。
【００１０】
請求項２によれば、処理を迅速にすることができる。請求項３によれば、操作子が操作されてから一定時間は電源オフにならない。請求項４によれば、オーディオ信号が入力されてから一定時間は電源オフにならない。
【図面の簡単な説明】
【００１１】
【図１】本発明の一実施の形態に係る電子楽器のブロック図である。
【図２】ノイズゲートに入力されるオーディオ信号の波形図である。
【図３】自動電源オフモード処理のフローチャートである。
【発明を実施するための形態】
【００１２】
以下、図面を参照して本発明の実施の形態を説明する。
【００１３】
図１は、本発明の一実施の形態に係る電子楽器のブロック図である。本電子楽器は、例えば、電子鍵盤楽器として構成されるが、楽器の種類は問わない。本電子楽器は、検出回路３、検出回路４、ＲＯＭ６、ＲＡＭ７、タイマ８、表示部９、記憶装置１０、各種インターフェイス（Ｉ／Ｆ）１１、音源（Tone Generator）２３及びＤＳＰ２０が、バス１２を介してＣＰＵ５にそれぞれ接続されて構成される。さらに、検出回路３には、鍵盤、ペダル及び効果操作子を含む演奏操作子１が接続される。検出回路４には、各種情報を入力するための設定操作子２が接続される。表示部９は各種情報を表示する。ＣＰＵ５にはタイマ８が接続される。各種Ｉ／Ｆ１１にはＭＩＤＩインターフェイスや、無線、有線インターフェイスが含まれる。
【００１４】
ＤＳＰ２０は、効果付与部２２及びノイズゲート２１を含む。効果付与部２２にはＤ／Ａ変換器２７、サウンドシステム２８（アンプやスピ−カなど）が直列に接続される。また、効果付与部２２には外部メモリ２６が接続される。音源２３には波形メモリ２４が接続される。ノイズゲート２１の入力側に通信部２５が接続されている。通信部２５は、近距離無線通信の１つであるBluetooth(登録商標）で信号の送受信が可能である。通信部２５は、例えば、外部機器２９からオーディオ信号を無線で受信でき、オーディオ信号はノイズゲート２１を介してＤＳＰ２０に入力される。
【００１５】
検出回路３は演奏操作子１の操作状態を検出し、検出回路４は設定操作子２の操作状態を検出する。ＣＰＵ５は、本装置全体の制御を司る。ＲＯＭ６は、ＣＰＵ５が実行する制御プログラムや各種テーブルデータ等を記憶する。ＲＡＭ７は、演奏データ、テキストデータ等の各種入力情報、各種フラグやバッファデータ及び演算結果等を一時的に記憶する。タイマ８は、タイマ割り込み処理における割り込み時間等の各種時間を計時する。記憶装置１０は、上記制御プログラムを含む各種アプリケーションプログラムや各種楽曲データ、各種データ等を記憶する。
【００１６】
演奏操作子１から入力された演奏データや予め設定された演奏データは、音源２３に送られ、音源２３は、波形メモリ２４からの波形データの読み出しにより音データを生成する。ＤＳＰ２０の効果付与部２２は、音源２３から出力された音データに音響効果を付加する。その際、ＤＳＰ２０の効果付与部２２は、外部メモリ２６を制御下に持っており、音源２３から入力される音データを元にして、特定の処理を行ってサンプリングデータとして外部メモリ２６に書き込み、また、外部メモリ２６からサンプリングデータを読み出し、音データとして出力する。ＤＳＰ２０から出力された音響効果の付与された音データは、Ｄ／Ａ変換器２７に入力されてアナログ信号に変換される。このアナログ信号はサウンドシステム２８から出力される。ノイズゲート２１は、オーディオ信号をＤＳＰ２０に取り込む際に、ＤＳＰ２０の入力側に置かれ、信号に含まれるノイズを除去する構成である。
【００１７】
この楽器は、通常のリアルタイム演奏による発音、及び演奏データによる発音が可能であるだけでなく、ＤＳＰ２０に入力されたオーディオ信号に基づく発音も可能である。ユーザにとっては、専らオーディオ信号に基づく発音をさせてオーディオ機器として本電子楽器を用いることもできる。その際でも、演奏操作子１を操作すれば、オーディオの発音に重ねて演奏による音が発音される。
【００１８】
図２は、ノイズゲート２１に入力されるオーディオ信号の波形図である。ノイズゲート２１は、入力されるオーディオ信号のレベルの絶対値が閾値Ｔｈを超えると開となり閾値Ｔｈ以下の状態が第１の所定時間Ｔ１継続すると閉となる。閾値Ｔｈの範囲内の振幅の小さいノイズはノイズゲート２１によって除去（キャンセル）される。従って、ノイズゲート２１が開となっているときのみ、オーディオ信号に基づく発音が可能となる。
【００１９】
本電子楽器の電源がオンにされた際のメイン処理を説明する。ＣＰＵ５は、まず、初期化を実行し、各種の設定値を初期値に設定する。その際ＣＰＵ５は、通信部２５による外部機器２９との通信接続確立の処理も実行する。なお、通信接続が確立する外部機器２９は複数である場合もあるが、存在しない場合もある。また、メイン処理の開始後であっても、外部機器２９からの要求または本電子楽器に対するユーザからの指示に応じて接続確立の処理が随時実行される。その後、ＣＰＵ５は、設定操作子２による指示の受け付け（パネル処理）を実行し、機器を設定する。このパネル処理では、ユーザからの指示に応じた電源強制オフの処理も実施され、また、「自動電源オフモード」の設定・解除も実施される。自動電源オフモードは、「オフ条件」が成立することを条件に電子楽器の電源を自動的にオフにするモードである。ここで、オフ条件の一例として、電子楽器が有する操作子（演奏操作子１、設定操作子２）のいずれも操作されない状態が第２の所定時間Ｔ２継続することでオフ条件が成立する。次に、ＣＰＵ５は、アナログ信号を生成して発音処理を実行する。この発音処理では、動作モードに応じて、リアルタイム演奏による発音、演奏データによる発音、オーディオ信号に基づく発音の少なくともいずれかが実行される。
【００２０】
図３は、自動電源オフモード処理のフローチャートである。この処理は、ＲＯＭ６に格納されたプログラムをＣＰＵ５が読み出して実行することにより実現される。この処理は、自動電源オフモードが設定されると開始される。
【００２１】
まず、ＣＰＵ５は、オフタイマの計時をスタートさせる（ステップＳ１０１）。次に、ＣＰＵ５は、自動電源オフモードが解除されたか否かを判別し、自動電源オフモードが解除された場合は、図３の処理を終了する。一方、自動電源オフモードが解除されていない場合は、ＣＰＵ５は、オフ条件が成立するか否かを判別する（ステップＳ１０３）。ここでは、オフタイマが第２の所定時間Ｔ２に達したか否かによってオフ条件が成立するか否かが判別される。従って、自動電源オフモードが設定されてから演奏操作子１または設定操作子２の操作が一度もない場合にオフ条件が成立する。また、演奏操作子１または設定操作子２が操作されると、その度にオフタイマはリセットされ計時が再スタートされる。従って、演奏操作子１または設定操作子２の最後の操作から第２の所定時間Ｔ２が経過した場合もオフ条件が成立する。
【００２２】
そして、オフ条件が成立しない場合は、装置電源をオンに維持するのが妥当であるから、ＣＰＵ５は処理をステップＳ１０２に戻す。オフ条件が成立する場合は、ＣＰＵ５は、通信部２５による接続確立済みの機器（外部機器２９）が存在するか否かを判別する（ステップＳ１０４）。その判別の結果、通信確立済みの機器が１つも存在しない場合は、通信部２５でオーディオ信号が受信されていないと判断できるから、電子楽器の電源をオフにし（ステップＳ１０６）、図３の処理を終了する。これにより、ステップＳ１０５の判断処理を省いて処理を迅速化できる。一方、通信確立済みの機器が存在する場合は、ＣＰＵ５は、ノイズゲート２１が閉となっているか否かを判別する（ステップＳ１０５）。その判別の結果、ノイズゲート２１が開となっている場合は、オーディオ信号が入力中であると判断できるから、ＣＰＵ５は処理をステップＳ１０２に戻す。これにより、オーディオ信号の入力中に装置電源が自動オフになることを回避できる。一方、ノイズゲート２１が閉となっている場合は、オーディオ信号が入力中でないと判断できるから、ＣＰＵ５は、電子楽器の電源をオフにし（ステップＳ１０６）、図３の処理を終了する。
【００２３】
本実施の形態によれば、ＣＰＵ５は、自動電源オフモード時にオフ条件が成立すると判定しても、ノイズゲート２１が開状態である場合は装置電源をオフにしない。これにより、オーディオ信号の入力中に装置電源が自動的にオフにならないようにすることができる。しかも、オーディオ信号の入力の有無を直接に検出するのではなく、ノイズゲート２１の開閉状態から判断するので、構成が簡単で済む。
【００２４】
また、オフ条件が成立し、且つ、接続が確立している外部機器が存在しない場合は、ノイズゲート２１の開閉状態にかかわらず装置電源をオフにするので、処理を迅速にすることができる。
【００２５】
また、オフ条件は、電子楽器が有する操作子のいずれも操作されない状態が第２の所定時間Ｔ２継続することで成立するので、操作子が操作されてから第２の所定時間Ｔ２は電源オフにならない。
【００２６】
なお、オフ条件は、例示した条件に限定されない。例えば、ノイズゲート２１が開状態となってから第３の所定時間が経過することによってもオフ条件が成立するとしてもよい。これにより、オーディオ信号が入力されてから一定時間は電源オフとならず、オーディオ信号の入力が操作子の操作と同様に扱われる。なお、この場合、第３の所定時間は第２の所定時間Ｔ２と同じ値であってもよい。あるいは、ノイズゲート２１が最後に開状態となったタイミングまたは操作子が最後に操作されたタイミングのうち遅い方のタイミングから第２の所定時間Ｔ２が経過することで、オフ条件が成立するとしてもよい。
【００２７】
なお、通信部２５はBluetooth規格としたが、これに限らず、他の近距離無線通信規格であってもよい。また、通信部２５はオーディオ信号を入力できる構成であればよく、有線で入力する構成であってもよい。従って、ライン入力やマイク入力の構成も含まれる。ライン入力の場合、プラグが端子に挿入されているか否かを検知し、その検知結果を、ノイズゲート２１が開状態であるか否かの判別結果と同様に扱って、電源を制御するようにしてもよい。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２９】
１  演奏操作子、  ２  設定操作子、  ５  ＣＰＵ（条件判定手段、制御手段）、  ２１  ノイズゲート
【図１】
2018146832.tif 000003
【図２】
2018146832.tif 000004
【図３】
2018146832.tif 000005